(57)【要約】【課題】  ＡＬＣパネルに事前加工を施す必要が無く、極めて簡単な方法でしかも能率良くＡＬＣパネルを建物躯体の鉄骨梁に固定できるＡＬＣパネル取付金具と取付構造並びにＡＬＣパネルの取付方法を提供する。【解決手段】  主として断面コの字型の基部とその基部上側の水平面より鉛直方向に立ち上がる平板状の幹部とからなり、その幹部の幅方向の両端部に幹部に直角に切り欠き折り曲げ加工されてなる複数箇所の枝部が形成されており、かつその枝部の先端は楔状に鋭角に加工されているＡＬＣパネル取付金具を採用する。このＡＬＣパネル取付金具を挟んで２枚のＡＬＣパネルを並列に載置して、ＡＬＣパネルの小口にＡＬＣパネル取付金具の枝部を打ち込んで、ＡＬＣパネル取付金具を介してＡＬＣパネルを鉄骨梁に固定する。【選択図】図１
2007009453.tif 000002
【特許請求の範囲】
【請求項１】
主として断面コの字型の基部とその基部上側の水平面より鉛直方向に立ち上げる平板状の幹部とからなるＡＬＣパネル取付金具であって、その幹部の幅方向の両端部に、幹部に直角に切り欠き折り曲げ加工されてなる複数箇所の枝部が形成されており、かつその枝部の先端は楔状に鋭角に加工されていることを特徴とするＡＬＣパネル取付金具。
【請求項２】
前記幹部の平面が、前記断面コの字型の基部の開口部と平行であることを特徴とする請求項１に記載のＡＬＣパネル取付金具。
【請求項３】
前記幹部の平面が、前記断面コの字型の基部の開口部に対して直角を成していることを特徴とする請求項１に記載のＡＬＣパネル取付金具。
【請求項４】
建物躯体の鉄骨梁にＡＬＣパネルを取り付けた取付構造であって、前記鉄骨梁の上部フランジに前記請求項１から３のいずれか１項に記載のＡＬＣパネル取付金具の基部を挟んで固定し、２枚のＡＬＣパネルの小口に該ＡＬＣパネル取付金具の楔状枝部に打ち込んでＡＬＣパネルを固定してなることを特徴とするＡＬＣパネルの取付構造。
【請求項５】
建物躯体の鉄骨梁にＡＬＣパネルを取り付ける方法であって、前記鉄骨梁の上部フランジの所定位置に第１のＡＬＣパネルを仮固定した後、前記請求項１から３のいずれか１項に記載のＡＬＣパネル取付金具基部の断面コの字型の開口部を前記鉄骨梁の上部フランジに挟み込み、該ＡＬＣパネル取付金具を介して第２のＡＬＣパネルを並置して該第１及び第２のＡＬＣパネル小口に前記ＡＬＣパネル取付金具の楔状枝部を打ち込んで、該２枚のＡＬＣパネルを固定し、この操作を必要に応じて順次繰り返すことを特徴とするＡＬＣパネルの取付方法。
【発明の詳細な説明】
【技術分野】
【０００１】
本発明は、建築躯体のＨ形鋼鉄骨梁の上部フランジにＡＬＣパネルを取付ける取付金具および取付構造並びにＡＬＣパネルの取付方法に関するものである。
【背景技術】
【０００２】
従来、パネル製造工場内で、予め事前にＡＬＣパネル裏面側の取付金具用切り込み部と、該切り込み部の位置に対応するパネル表面側の取付ネジ用孔とが設けられたＡＬＣパネルと、平板部とＨ形鉄骨梁の上部フランジ部に嵌合される嵌合部とから成る取付金具を使用して、前記切り込み部に嵌め込まれた平板部に対して、パネル表面側の取付ネジ用孔からネジを打ち込んで固定する取付構造が提案されている（例えば、特許文献１参照。）。
図７に、この取付構造の外観斜視図を示す。また、図８には図７の取付構造の取付ネジに沿った断面図を示す。
図に示すように、Ｈ形鋼等からなる鉄骨梁１１の上部フランジ面にネジ孔を設けた断面コの字型の取付用金具４を溶接固定し、その上から図９に示すようなあらかじめ切り込み部６と取付用ネジ孔２を加工したＡＬＣパネル３を載置する。ＡＬＣパネル３の切り込み部６は、丁度取付用金具４が収納できる大きさに加工されている。ＡＬＣパネル３を鉄骨梁１１上の所定位置に載置した後、ＡＬＣパネル３の表面から取付ネジ５を貫通させて、切り込み部６に設けたネジ孔に嵌合させて締め付け固定する。
この取付構造によれば、施工現場においてネジの打ち込み位置決めのための墨出し作業が不要となるとともに、ネジ打ち込みの作業効率が向上する。また、ネジの位置が揃った仕上がり良く固定された床または屋根用ＡＬＣパネル施工が可能となるとともに、パネルを所定位置に安定して確実に取付けることができるようになる。さらに、施工現場での穴開け作業による粉塵発生等の問題が少なくなり、安全面や金属部材にＡＬＣ粉が固着する品質面等の問題が解決する利点があるとされる。
【特許文献１】特開平２０００−２７３９９６号公報
【発明の開示】
【発明が解決しようとする課題】
【０００３】
しかし、上記の方法ではＡＬＣパネルに取付金具用の切込み部や取付けネジ用の孔を設けねばならず、この作業を施工現場で実施すると粉塵発生などの環境問題が発生することとなるため、一般的にはＡＬＣパネル製造工場で事前加工されてくるが、その場合でも加工のために長時間を要し、生産性が著しく悪くなるばかりでなく、コストの大幅上昇の要因ともなっている。
本発明は上記問題を解決するためになされたものであって、ＡＬＣパネルに事前加工を施す必要が無く、極めて簡単な方法でしかも能率良くＡＬＣパネルを建物躯体の鉄骨梁に固定できるＡＬＣパネル取付金具と取付方法を提供することを目的とする。
【課題を解決するための手段】
【０００４】
上記課題を解決するために本発明は、主として断面コの字型の基部とその基部上側の水平面より鉛直方向に立ち上がる平板状の幹部とからなるＡＬＣパネル取付金具であって、その幹部の幅方向の両端部に、幹部に直角に切り欠き折り曲げ加工されてなる複数箇所の枝部が形成されており、かつその枝部の先端は楔状に鋭角に加工されているＡＬＣパネル取付金具を採用した。
このような構造の取付金具を使用すれば、ＡＬＣパネルに事前に加工を施す必要はなく、ＡＬＣパネルの小口面に取付金具の楔状の枝部先端を打ち込むのみで、極めて簡単な方法でＡＬＣパネルを建物躯体の鉄骨梁に固定することができる。
【０００５】
本発明のＡＬＣパネル取付金具は、前記幹部の平面が前記断面コの字型の基部の開口部と平行であっても良いし、前記幹部の平面が前記断面コの字型の基部の開口部に対して直角をなしているものであっても良い。
【０００６】
本発明のＡＬＣパネルの取付構造は、建物躯体の鉄骨梁の上部フランジに前記のＡＬＣパネル取付金具を固定し、２枚のＡＬＣパネルの小口を該ＡＬＣパネル取付金具の楔状枝部に打ち込んでＡＬＣパネルを固定したＡＬＣパネルの取付構造である。
【０００７】
本発明のＡＬＣパネルの取付方法は、建物躯体の鉄骨梁の上部フランジの所定位置に第１のＡＬＣパネルを仮固定した後、前記本発明のＡＬＣパネル取付金具基部の断面コの字型の開口部を前記鉄骨梁の上部フランジに挟み込み、該ＡＬＣパネル取付金具を介して第２のＡＬＣパネルを並置して該第１及び第２のＡＬＣパネル小口に前記ＡＬＣパネル取付金具の楔状枝部を打ち込んで該２枚のＡＬＣパネルを固定し、この操作を必要に応じて順次繰り返すＡＬＣパネルの取付方法を採用した。
このＡＬＣパネルの取付方法によれば、ＡＬＣパネルに特段の加工を施す必要が無く、迅速にしかも低コストで施工できる。
【発明の効果】
【０００８】
本発明に係るＡＬＣパネル取付金具は構造が簡単で、その取付方法も簡単であり能率良く作業することができる。
本発明に係るＡＬＣパネル取付金具を用いたＡＬＣパネルの取付構造によれば、ＡＬＣパネルに特殊な加工を施すことなく、専用の取付金具を用いて簡単に建物躯体に取り付けることが可能となり、且つ従来に比べそのＡＬＣパネルの製造コストを劇的に下げることが可能となる。
【発明を実施するための最良の形態】
【０００９】
本発明を図面を使用して詳細に説明する。
図１は本発明の第１の実施形態に係わるＡＬＣパネル取付金具の外観斜視図である。
本発明のＡＬＣパネル取付金具１は、主として断面がコの字型の溝状の基部７と、その基部７の上側水平面７ａのコの字型の溝の開口部側先端より鉛直方向に立ち上がった幹部８とから構成される取付金具である。
基部７は、上側の水平面７ａと下側の水平面７ｂ及び垂直面７ｃからなる断面がコの字型の溝状をなしており、該溝の幅は取り付けるＨ形鋼等の建物躯体の鉄骨梁の厚さに合わせてほぼ同じ厚さに曲げ加工してある。コの字型の溝の開口部側先端７ｅは、鉄骨梁に嵌め込みやすくするように外側にやや開いており、クリップ機能を持たせて鉄骨梁に嵌め込めるように構成されている。
基部７の上側水平面７ａの開口部側先端７ｄには、この上側水平面７ａに対して垂直でかつ基部７の開口部に平行な幹部８が立ち上げてある。幹部８の高さは、取り付けるＡＬＣパネルの厚さ以下の範囲で適宜選択して決める。また、幹部８の幅は、次に述べる枝部９が２列並べて形成できるように適宜選択する。
【００１０】
その幹部８の両端部には幹部８に直角に折り曲げ加工された複数の枝部９が形成されている。図では左右に各２片ずつ、計４箇所の枝部９が形成されている例を示した。枝部９は幹部８を互いに反対方向に直角に折り曲げ加工して形成し、幹部８を介して相対向する２枚のＡＬＣパネルの小口面に打ち込めるように形成してある。枝部９の長さは、ＡＬＣパネルの小口に食い込んで、ＡＬＣパネルを固定するのに必要な長さを確保できるように、前記幹部８の高さを考慮して適宜選択する。
本実施形態では枝部９は幹部８の平面に対して直角に、すなわち基部７の開口面に対して直角をなす方向に突き出ている。
枝部９の先端９ａは、ＡＬＣパネル小口面に打ち込み易くするように楔状に、例えば３０度〜６０度に角度に鋭角に加工しておくのが好ましい。
【００１１】
各部の寸法は、取り付ける鉄骨梁のサイズに合わせて適宜選択されるが、一例をあげれば、基部７の平面的寸法は２０ｍｍ×２０ｍｍ程度、断面コの字形の上下水平面の間隔は１１．６ｍｍ、幹部８の高さは８０ｍｍ、枝部９の長さは２０ｍｍ、枝部９の上下の間隔は２０ｍｍ、枝部９の幅は７ｍｍ、枝部９の先端角度は３０度、ＡＬＣパネル取付金具１全体は厚さ１．３ｍｍの鋼板を打ち抜き曲げ加工して形成することができる。
【００１２】
次に、第１の実施形態のＡＬＣパネル取付金具を使用して、建物躯体の鉄骨梁にＡＬＣパネルを取り付ける方法について説明する。
図２に第１の実施形態のＡＬＣパネル取付金具１を使用して、建物躯体の鉄骨梁１１にＡＬＣパネル１０を取り付ける作業手順を示す。
先ず、図２（ａ）に示すよう、建築躯体のＨ形鋼鉄骨等の鉄骨梁１１の上部フランジ１１ａ上に第１のＡＬＣパネル１０−１を敷く。尚、このＡＬＣパネル１０−１は長辺小口１０ａの表裏角部に１０×１０ｍｍの面取り加工が施された、通常の標準的なもので厚さは１００ｍｍである。
次に、図２（ｂ）に示すように、前記ＡＬＣパネル取付金具１の基部７をＨ形鋼鉄骨梁１１の上部フランジ１１ａに嵌め込み、ＡＬＣパネル取付金具１を上部フランジ１１ａ上をスライドさせて、図２（ｃ）のようにＡＬＣパネル１０−１の長辺小口１０ａに打ち込み固定する。
【００１３】
次に、図２（ｄ）に示すように、第２のＡＬＣパネル１０−２を前記ＡＬＣパネル取付金具１のもう一方の枝部側に敷きこみ、既設のＡＬＣパネル１０−１と隣接させる。
次に、既設の第１のＡＬＣパネル１０−１の長辺小口１０ａに打ち込まれているＡＬＣパネル取付金具１の別の枝部が、新規に敷き込んだ第２のＡＬＣパネル１０−２の長辺小口に打ち込まれるように、ＡＬＣパネル１０−２を押し込み敷き並べて軽く叩いて枝部をＡＬＣパネルの小口面に打ち込む。
この時、前記取付金具１の基部７は、鉄骨梁１１の上部フランジ面１１ａと前記ＡＬＣパネル１０−１，１０−２の長辺小口の面取り部に囲まれる空間１３に嵌まり込み、また、ＡＬＣパネル取付金具１の幹部８と枝部９は釘のようにＡＬＣパネル長辺小口に打ち込まれるので、ＡＬＣパネル取付金具とＡＬＣパネルが干渉することにより隙間が生じるようなことはない。
【００１４】
図３に取付け後の２枚のＡＬＣパネルの接合部近傍を透視斜視図で示す。図３（ａ）は全体図で図３（ｂ）は拡大図である。図に示すとおり、２枚のＡＬＣパネル１０−１，１０−２は、ＡＬＣパネル取付金具１を挟んで接合されている。
図４に、図３を矢印方向から見た接合部近傍を透視斜視図で示す。建物躯体の鉄骨梁１１上に載置された２枚のＡＬＣパネル１０−１，１０−２は、密着して固定されている。ＡＬＣパネル取付金具１は、２枚のＡＬＣパネル１０−１，１０−２に挟まれて外部からは見えることはない。
【００１５】
図５に２枚のＡＬＣパネルのＡＬＣパネル取付金具を通る面に沿った断面図を示す。図５（ａ）はＡＬＣパネル接合面に沿った断面図、図５（ｂ）はＡＬＣパネル取付金具を通り接合面に直交する面の断面図である。
図５（ａ）に示すとおり、鉄骨梁１１の上部フランジ１１ａにはＡＬＣパネル取付金具１の基部７が挟んであり、鉄骨梁１１の上部フランジ１１ａに載置されたＡＬＣパネル１０の小口面にはＡＬＣパネル取付金具１の枝部９が打ち込まれている。ＡＬＣパネル取付金具１の枝部９は、紙面表裏方向に互いにも反対方向に伸びており、紙面表裏方向に重なって載置された２枚のＡＬＣパネルを、鉄骨梁１１に固定している。図５（ｂ）に示すように、左右に隣接して載置された２枚のＡＬＣパネル１０−１，１０−２の小口には、左右に伸びるＡＬＣパネル取付金具１の枝部９が打ち込まれていて、２枚のＡＬＣパネルを鉄骨梁１１に固定している。
【００１６】
（第２の実施形態）
図６に、本発明の第２の実施形態に係わるＡＬＣパネル取付金具２の外観斜視図を示す。第２の実施形態に係わるＡＬＣパネル取付金具２が、先の第１の実施形態に係わるＡＬＣパネル取付金具１と異なる点は、基部７に対する幹部８の向き、及びそれに伴う枝部９の向きである。すなわち、第２の実施形態に係わるＡＬＣパネル取付金具２では、幹部８が 基部７の上側水平面７ａのほぼ中央部に、かつ開口部側先端７ｄに対して直角をなす方向で、この上側水平面７ａに対して垂直に立ち上げてある点である。
また、これに伴って幹部８に形成された枝部９は、基部７の開口部側先端７ｅに対して平行な方向に、幹部８を挟んで互いに反対方向に向けて形成されている点である。各部の寸法や、形状、機能、作り方等は、先の第１の実施形態に係わるＡＬＣパネル取付金具１の場合と同様であるから、詳しい説明は省略する。
【００１７】
以上説明したように、本発明の第１の実施形態に係わるＡＬＣパネル取付金具１又は第２の実施形態に係わるＡＬＣパネル取付金具２により鉄骨梁の長さ方向と直角をなして載置されたＡＬＣパネルを鉄骨梁に接合固定することができる。
さらに、本発明のＡＬＣパネルの取付方法によれば、あらかじめＡＬＣパネルに加工を施す必要がないので、施工能率が良く、しかも安価に施工することが可能となる。また施工現場で粉塵発生等の環境問題を起こす心配もない。
【図面の簡単な説明】
【００１８】
【図１】本発明の第１の実施形態に係わるＡＬＣパネル取付金具を示す斜視図である。
【図２】本発明のＡＬＣパネルの取付構造の施工手順を説明する図である。
【図３】本発明のＡＬＣパネル取付構造の一例を示す透視斜視図で、（ａ）は全体図、（ｂ）はＡＬＣパネル接合部分を拡大した図である。
【図４】図３を矢印方向から見た透視斜視図である。
【図５】図３のＡＬＣパネル取付金具に沿った断面図であって、（ａ）はＡＬＣパネル接合面に沿った断面図、（ｂ）はＡＬＣパネル取付金具を通り接合面に直交する面の断面図である。
【図６】本発明の第２の実施形態に係わるＡＬＣパネル取付金具を示す斜視図である。
【図７】従来のＡＬＣパネルの取付構造の一例を示す一部破断斜視図である。
【図８】図７に示す取り付け構造の取付ネジを含む面の断面図である。
【図９】図７に示す取り付け構造で使用するＡＬＣパネルの透視図である。
【符号の説明】
【００１９】
１、２  ＡＬＣ取付金具
３、１０  ＡＬＣパネル
４  取付用金具
５  取付ネジ
６  切り込み部
７  基部
７ａ  上側平面部
８、８´  幹部
９、９´  枝部
１１  鉄骨梁
１２  取付ネジ用孔
【図１】
2007009453.tif 000003
【図２】
2007009453.tif 000004
【図３】
2007009453.tif 000005
【図４】
2007009453.tif 000006
【図５】
2007009453.tif 000007
【図６】
2007009453.tif 000008
【図７】
2007009453.tif 000009
【図８】
2007009453.tif 000010
【図９】
2007009453.tif 000011